(57)【特許請求の範囲】
【請求項１】
出入口用開口部を有した枠体と、
この出入口用開口部を開閉する障子を備えた浴室建具であって、
前記枠体の下枠は、下枠本体と、この下枠本体の脱衣室側上面に設けられ、前記障子を移動自在にガイドするレールと、前記下枠本体の浴室側上面に設けられた下枠アタッチメントを備え、
前記下枠本体の脱衣室側上面は浴室側上面よりも高い部分を有し、
前記下枠本体の浴室側上面は、脱衣室側が浴室側よりも高い階段形状で、その浴室側には凹条溝を有し、この凹条溝に軟質材より成るスロープ部材が取り付けられ、そのスロープ部材の上面で浴室側上面の脱衣室側と浴室側が滑らかに連続し、
前記下枠本体の見付け方向両側に端部ブロックが、浴室側上面よりも上方に突出してそれぞれ設けられ、
前記下枠アタッチメントの見付け方向両側部を、前記端部ブロックに着脱自在に支持して下枠アタッチメントを取り付けることで、当該下枠アタッチメントの下面に設けた垂下片がスロープ部材の上面に接し、前記下枠アタッチメントの下面と下枠本体の浴室側上面との間に排水用空間を形成し、
前記下枠アタッチメントの上面は脱衣室側よりも浴室側が低くなるように傾斜し、かつ当該脱衣室側上面が前記下枠本体の脱衣室側上面の高い部分とほぼ同一高さであることを特徴とする浴室建具。
【請求項２】
前記端部ブロックの側面を出入口用開口部を形成する縦枠の内側面に接し、その端部ブロックの下面を下枠本体の上面に接した請求項１記載の浴室建具。
【請求項３】
前記端部ブロックに被係合部を設けると共に、前記下枠アタッチメントの見付け方向両側部に係合部を設け、この係合部を前記被係合部に係合することで下枠アタッチメントを着脱自在に取り付けた請求項１又は２記載の浴室建具。
【請求項４】
前記端部ブロックの下面と下枠本体の脱衣室側上面との間に流入口を有し、この端部ブロックの側面下部と縦枠の内側面との間に流路を有し、この流路が前記流入口に連通すると共に、下枠本体の浴室側上面に連通して排水路とした請求項１〜３いずれか１項記載の浴室建具。
【請求項５】
前記下枠アタッチメントは、下面に垂下片を有したアタッチメント本体と、このアタッチメント本体の見付け方向両側に取り付けられ、下面に係合部を有した端部キャップを備え、
前記端部ブロックは、前記凹条溝に嵌め込んで取り付けられてスロープ部材の小口を覆い、前記係合部と係合する被係合部を有し、
前記アタッチメント本体の垂下片がスロープ部材の上面に接するようにした請求項１〜４いずれか１項記載の浴室建具。
【発明の詳細な説明】
【技術分野】
【０００１】
本発明は、浴室の出入口を開閉するための浴室建具に関する。
【背景技術】
【０００２】
従来、浴室の出入口を開閉するための浴室建具として、上枠と下枠と左右の縦枠を方形枠状に連結した枠体内に、障子を開閉自在に設けた建具が一般的である。
一方、脱衣室の床面から下枠の上面を経て浴室の床面まで、高さがほぼ一定な略フラットな面としたバリアフリータイプの浴室建具が提案されている。
このようなバリアフリータイプの浴室建具においては、浴室からの水が下枠を越えて脱衣室側に流出することを防止することが重要であり、従来から種々の浴室建具が提案されている。
例えば、特許文献１に開示したように、枠体の下枠を、下枠本体と、この下枠本体の上面側に取り付けるカバー部材とを備え、その下枠本体の上面とカバー部材の下面の間に排水用空間を形成した浴室建具が知られている。
【先行技術文献】
【特許文献】
【０００３】
【特許文献１】特開２０１１−６９５１号公報
【発明の概要】
【発明が解決しようとする課題】
【０００４】
前述した従来の浴室建具であれば、浴室からカバー部材に流れ込んだ水が、排水用空間に流れ落ちるので、浴室からの水が下枠を越えて脱衣室側に流出することを防止できる。
このような下枠を備えた浴室建具においては、排水用空間に水が流れることによって、下枠本体の上面が汚れることがあるので、そのカバー部材を取り外し、下枠本体の上面を清掃することがある。
しかしながら、前述した従来の浴室建具の下枠は、下枠本体の上面に複数の取付部材をビスによって固定し、これらの取付部材にカバー部材を係止して下枠本体に取り付けているので、前述のようにカバー部材を取り外して下枠本体の上面を清掃する際に、その下枠本体の上面に固定した取付部材が邪魔になり、下枠本体の上面を清掃することがやりづらく、面倒であった。
【０００５】
本発明の目的は、浴室からの水が下枠を越えて脱衣室側に流出することがないようにできると共に、その下枠本体の上面を簡単に清掃できるようにしたバリアフリータイプの浴室建具とすることである。
【課題を解決するための手段】
【０００６】
本発明は、出入口用開口部を有した枠体と、
この出入口用開口部を開閉する障子を備えた浴室建具であって、
前記枠体の下枠は、下枠本体と、この下枠本体の脱衣室側上面に設けられ、前記障子を移動自在にガイドするレールと、前記下枠本体の浴室側上面に設けられた下枠アタッチメントを備え、
前記下枠本体の脱衣室側上面は浴室側上面よりも高い部分を有し、
前記下枠本体の浴室側上面は、脱衣室側が浴室側よりも高い階段形状で、その浴室側には凹条溝を有し、この凹条溝に軟質材より成るスロープ部材が取り付けられ、そのスロープ部材の上面で浴室側上面の脱衣室側と浴室側が滑らかに連続し、
前記下枠本体の見付け方向両側に端部ブロックが、浴室側上面よりも上方に突出してそれぞれ設けられ、
前記下枠アタッチメントの見付け方向両側部を、前記端部ブロックに着脱自在に支持して下枠アタッチメントを取り付けることで、当該下枠アタッチメントの下面に設けた垂下片がスロープ部材の上面に接し、前記下枠アタッチメントの下面と下枠本体の浴室側上面との間に排水用空間を形成し、
前記下枠アタッチメントの上面は脱衣室側よりも浴室側が低くなるように傾斜し、かつ当該脱衣室側上面が前記下枠本体の脱衣室側上面の高い部分とほぼ同一高さであることを特徴とする浴室建具である。
【０００７】
本発明においては、前記端部ブロックの側面を出入口用開口部を形成する縦枠の内側面に接し、その端部ブロックの下面を下枠本体の上面に接した浴室建具とすることができる。
このようにすれば、端部ブロックが縦枠と下枠本体の接合部に水が浸入することを抑制し、その接合部の水密性が向上する。
【０００８】
本発明においては、前記端部ブロックに被係合部を設けると共に、前記下枠アタッチメントの見付け方向両側部に係合部を設け、この係合部を前記被係合部に係合することで下枠アタッチメントを着脱自在に取り付けた浴室建具とすることができる。
このようにすれば、下枠アタッチメントを簡単に取り付け、取り外しできるから、下枠本体の浴室側上面を清掃するときに便利である。
【００１０】
本発明においては、前記端部ブロックの下面と下枠本体の脱衣室側上面との間に流入口を有し、この端部ブロックの側面下部と縦枠の内側面との間に流路を有し、この流路が前記流入口に連通すると共に、下枠本体の浴室側上面に連通して排水路とした浴室建具とすることができる。
このようにすれば、下枠本体の脱衣室側上面の水を排水路を通して浴室側上面まで流すことができるから、その水を浴室まで円滑に排水できる。
【００１１】
本発明においては、前記下枠アタッチメントは、下面に垂下片を有したアタッチメント本体と、このアタッチメント本体の見付け方向両側に取り付けられ、下面に係合部を有した端部キャップを備え、
前記端部ブロックは、前記凹条溝に嵌め込んで取り付けられてスロープ部材の小口を覆い、前記係合部と係合する被係合部を有し、
前記アタッチメント本体の垂下片がスロープ部材の上面に接するようにした浴室建具とすることができる。
【発明の効果】
【００１２】
本発明によれば、浴室からの水は下枠アタッチメントの上面から下枠本体の脱衣室側上面に流れ落ち、その水は排水用空間から浴室まで排水されるので、浴室からの水が下枠を越えて脱衣室側に流出することがないようにできる。
しかも、下枠本体の浴室側上面はほぼ平坦面で、その上面の見込み方向両側に端部ブロックを有するのみであるから、下枠アタッチメントを取り外すことで、下枠本体の浴室側上面を簡単に清掃できる。
さらに、下枠アタッチメントの上面は下枠本体の脱衣室側上面の高い部分とほぼ同一高さであるから、バリアフリータイプの浴室建具とすることができる。
下枠本体の脱衣室側上面の水が浴室側上面に沿って浴室まで円滑に流れる。
下枠アタッチメントに人が乗ったときに下向きに変形することがないし、下枠アタッチメントと下枠本体がアルミ製であっても金属接触音が発生することがない。
【図面の簡単な説明】
【００１３】
【図１】本発明の実施の形態を示す浴室建具の概略正面図である。
【図２】枠体の出入口用開口部の下方部分を浴室側から見た斜視図である。
【図３】枠体の出入口用開口部の下方部分を脱衣室側から見た斜視図である。
【図４】図２における一方の縦枠を取り外した状態の斜視図である。
【図５】下枠本体を浴室側から見た斜視図である。
【図６】図５のＡ−Ａ断面図である。
【図７】図２における下枠アタッチメントを取り外した状態の斜視図である。
【図８】図３における下枠アタッチメントを取り外した状態の斜視図である。
【図９】図８のＢ−Ｂ断面図である。
【図１０】図４の矢印Ｃ視図である。
【図１１】図７のＤ−Ｄ断面図である。
【図１２】図２のＥ−Ｅ断面図である。
【図１３】下枠本体に第１端部ブロックを取り付けた状態の見付け方向一側から見た斜視図である。
【図１４】下枠本体に第１端部ブロックを取り付けた状態の見付け方向他側から見た斜視図である。
【図１５】本発明の第２の実施の形態を示す下枠アタッチメントを取り外した状態の出入口用開口部の下方部分を、脱衣室側から見た斜視図である。
【図１６】図１５における下枠アタッチメントを取り付けた状態の斜視図である。
【図１７】図１６のＦ−Ｆ断面図である。
【図１８】図１６のＧ−Ｇ断面図である。
【図１９】枠体の出入口用開口部の下方部分における一方の縦枠を取り外した状態の浴室側から見た斜視図である。
【図２０】下枠本体に第１端部ブロックを取り付けた状態の斜視図である。
【図２１】下枠本体に第２端部ブロックを取り付けた状態の斜視図である。
【発明を実施するための形態】
【００１４】
図１は、本発明の浴室建具を浴室側から見た全体正面図で、理解を容易とするために概略的に図示してあり、図２以降に詳細に示した浴室建具とは形状、寸法などが相違する。
本発明の浴室建具の枠体１は、浴室の出入口である出入口用開口部１ａを有している。
そして、枠体１には障子２が出入口用開口部１ａを開閉自在に設けてある。
この実施の形態の枠体１は、一方の縦枠１０と他方の縦枠１１と上枠１２と下枠１３を方形状に連結していると共に、その上枠１２、下枠１３の長手方向中間部に亘って縦骨１４を取り付け、一方の縦枠１０と縦骨１４との間に出入口用開口部１ａを形成し、他方の縦枠１１と縦骨１４との間にパネル装着用開口部１ｂを形成している。
つまり、一方の縦枠１０と縦骨１４とが出入口用開口部１ａを形成する左右の縦枠である。
【００１５】
前述したパネル装着用開口部１ｂにパネル１５を装着して壁部１ｃとしてある。
前述した障子２は、上框２０と下框２１と戸先框２２と召合せ框２３を方形状に連結し、その内部にガラス等のパネル２４を装着してある。
この障子２が出入口用開口部１ａを閉じたときに、その戸先框２２が一方の縦枠１０に接すると共に、召合せ框２３が縦骨１４と見込み方向に重なる。
【００１６】
図２、図３に示すように、縦骨１４の見込み寸法は一方の縦枠１０、下枠１３（図示しない他方の縦枠１１、上枠１２）の見込み寸法よりも小さく、その縦骨１４は下枠１３（図示しない上枠１２）の見込み方向の浴室側寄りに取り付けられ、縦骨１４、一方の縦枠１０の見込み方向の浴室側端部は見込み方向に同一位置である。
この縦骨１４と一方の縦枠１０の見込み方向の浴室側寄り部分とで前述した出入口用開口部１ａを形成していると共に、前記壁部１ｃの見込み方向の脱衣室側寄りに障子引込み部１ｄを有している。
そして、障子２が出入口用開口部１ａを開放したときに、その障子２が障子引込み部１ｄに引き込まれて収納される。
つまり、この実施の形態の浴室建具は引き込みタイプの引戸である。
【００１７】
下枠１３は図２、図３に示すように下枠本体１３ａと、この下枠本体１３ａの出入口用開口部１ａを形成する部分（見込み方向の浴室側寄り）に取り付けた下枠アタッチメント１３ｂと、下枠本体１３ａの見込み方向の脱衣室側寄りに長手方向に亘って設けたレール部材１３ｃを備え、このレール部材１３ｃに沿って障子２が開閉移動する。
一方の縦枠１０の見込み方向の脱衣室側寄りに、見付け方向内側に向かう２つの内向片１６が見込み方向に間隔を置いて有し、その各内向片１６に縦シール材１７が見込み方向に相対向して装着され、障子２が閉じたときに戸先框２２が縦シール材１７に接触して水密するようにしてある。
下枠本体１３ａのレール部材１３ｃよりも見込み方向の脱衣室側寄りに下横シール材１８が装着され、障子２の下框２１の脱衣室側面が接触して水密するようにしてある。この下横シール材１８は一方の縦シール材１７の下部と接触している。
縦骨１４の脱衣室側面１４ｂには縦シール材１９が脱衣室側に向けて装着してされ、障子２を閉じたときに召合せ框２３が縦シール材１９に接触してシールする。
【００１８】
下枠本体１３ａは図４、図５に示すように、脱衣室側部３０と、この脱衣室側部３０の見込み方向浴室側端と連続し見込み方向の浴室側に向かう浴室側部３１と、この浴室側部３１の脱衣室側寄りに設けられた立上り部３２を有している。
前述した立上り部３２の長手方向一側寄り（一方の縦枠１０寄り）及び浴室側部３１の長手方向他側寄り（他方の縦枠１１寄り）を、立上り部３２の切断面（長手方向一端面）３２−１と浴室側部３１の切断面（長手方向他端面）３１−１が長手方向に離隔するようにそれぞれ切断等して除去し、立上り部３２の切断面３２−１が縦骨１４の見付け方向の一方の面に接して前述のパネル装着用開口部１ｂを形成し、浴室側部３１の切断面３１−１が縦骨１４の見付け方向の他方の面（内側面１４ａ）に接して浴室側部３１が出入口用開口部１ａに設けられるようにしてある。
【００１９】
つまり、この実施の形態では引き込みタイプの引戸であるので、枠体１に障子引込み部１ｄを形成するために下枠本体１３を前述のようにしてあり、引き違いタイプの引戸のように障子引込み部１ｄを有していない枠体であれば、脱衣室側部３０と浴室側部３１のみで立上り部３２を有していない下枠本体とすることができる。
【００２０】
下枠本体１３ａを図４〜図６に基づいて説明する。
脱衣室側部３０は、上面板３０ａと脱衣室側縦板３０ｂと浴室側縦板３０ｃと下面板３０ｄで中空部を有した本体部３０ｅと、脱衣室側縦板３０ｂの上端に設けた脱衣室側に向かう取付片３０ｆを有し、その上面板３０ａの脱衣室側寄りは上向きに折曲し、段差部３０ｇを境として浴室側寄りよりも高くなり、その高い部分に凹条溝３０ｈが形成され、その凹条溝３０ｈに前述した下横シール材１８が装着してある。上面板３０ａの下面に縦枠と連結するためのビスホール３３を有する。
この浴室側部３０の上面３０Ａは、ほぼフラットな水平面で、かつ見込み方向浴室側に向けて水が流れるように傾斜、つまり水勾配が付けてあると共に、段差部３０ｇを境として脱衣室側部が高く、その高い部分に取付片３０ｆを有し、下横シール材１８が装着してある。
【００２１】
浴室側部３１は、上面板３０ａと連続した第１横板３１ａと、この第１横板３１ａの浴室側端部と連続した中間下向き板３１ｂと、この中間下向き板３１ｂの下端部と連続した第２横板３１ｃと、この第２横板３１ｃの見込み方向の浴室側端部と連続した端部下向き板３１ｄでほぼクランク形状に折曲した板状で、その第２横板３１ｃの中間下向き板３１ｂ寄りに、上面に開口した凹条溝３４を長手方向に連続して有し、第２横板３１ｃの下面には縦枠と連結するためのビスホール３３を有する。
この浴室側部３１の上面３１Ａは、脱衣室側寄りが高く、浴室側寄りが低くなるように段差を有した階段形状である。
【００２２】
立上り部３２は、浴室側部３１の第２横板３１ｃにおける凹条溝３４の脱衣室側開口縁と連続した立上り板３２ａと、この立上り板３２ａの上端部と連続した横板３２ｂと、この横板３２ｂの浴室側端部と連続した上向きコ字状片３２ｃとを有している。
そして、前述のように、立上り部３２の長手方向一側寄りを切断して除去すると共に、その残存した立上り部３２を有した第２横板３１ｃにおける凹条溝３４よりも浴室側寄り部分を切断して除去し、図２、図３に示すように下枠本体１３ａの障子引込み部１ｄを形成する部分の見込み寸法を出入口用開口部１ａを形成する部分の見込み方向よりも小さくしてある。
【００２３】
浴室側部３１の長手方向他端寄りは、図５に示すように、第２横板３１ｃの凹条溝３４よりも浴室側部分を切断して除去している。
【００２４】
図５、図６に示すように、下枠本体１３ａの浴室側部３１には、第１横板３１ａの上面（脱衣室側寄り上面）と第２横板３１ｃの上面（浴室側寄り上面）を滑らかに連続するスロープ部材４が長手方向ほぼ全長に亘って設けてある。
このスロープ部材４は、ゴム、樹脂などの軟質材製で、本体４０と、この本体４０の下面４０ａに一体に設けられている取付片４１を有し、その取付片４１を凹条溝３４に嵌合することで取り付けられ、本体４０の浴室側部４０ｂが中間下向き片３１ｂ（段差）に接すると共に、本体４０の下面４０ａが第２横板３１ｃに接触し、その本体４０の上面４０ｃの脱衣室側端部が第１横板３１ａの上面に連続すると共に、本体４０の上面４０ｃの浴室側端部が第２横板３１ｃの上面と連続して第１横板３１ａの上面とスロープ部材４の上面と第２横板３１ｃの上面が直線状に連続する。
【００２５】
このようであるから、第１横板３１ａの上面に流れ込んだ水は、スロープ部材４の上面に沿って第２横板３１ｃの上面にスムーズに流れ落ちて浴室側に流れるので、浴室側部３１の上面３１Ａに溜まることはない。
しかも、本体３５ａと中間下向き板３１ｂ、第２横板３１ｃとの接触部が水密され、その接触部に前述の水が浸入することがない。
【００２６】
下枠アタッチメント１３ｂは図２、図３に示すように、アタッチメント本体５０と、このアタッチメント本体５０の長手方向両端部に設けた端部キャップ６０を備えている。
この下枠アタッチメント１３ｂは、後述するように、下枠本体１３ａの出入口用開口部１ａを形成する部分の長手方向両端部に取り付けた第１端部ブロック７０、第２端部ブロック８０に係合して取り付けられ、その下面と下枠本体１３ａの上面（浴室側部３１の上面３１Ａ）との間に排水用空間を形成していると共に、下枠本体１３ａの浴室側端部よりも浴室側に突出している。例えば、浴室床に接する。
この下枠アタッチメント１３ｂの上面は、脱衣室側よりも浴室側が低くなるように傾斜し、かつ脱衣室側上面が前記下枠本体１３ａの脱衣室側部３０の上面３０Ａの高い部分とほぼ同一高さである。これにより、下枠１３の上面はほぼフラットとなり、バリアフリータイプの浴室建具としてある。
このアタッチメント本体５０はアルミ製で、端部キャップ６０は樹脂製である。
【００２７】
レール部材１３ｃは図３に示すように、取付プレート３５にレール３６を一体に設けたもので、その取付プレート３５を下枠本体１３ａの脱衣室部３０の上面板３０ａに取り付けてある。
このレール３６は下枠本体１３ａの浴室側部３１の上面３１Ａよりも上方に突出している。
この実施の形態では、取付プレート３５に一対のレール３６が設けてあると共に、その一対のレール３６間に中間シール材３７が装着してある。
取付プレート３５の下面に裏板３８を設け、この裏板３８とともに脱衣室側の下向片３５ａを前述した上面板３０ａの凹部３０ｉに嵌合すると共に、取付プレート３５の浴室側端部３５ｂを立上り部３２に接することで取り付けてある。
そして、中間シール材３７が他方の縦シール材１７の下端部と接触している。
なお、レール３６は１本でも良いし、このレール部材１３ｃは下枠本体１３ａの脱衣室側部３０の上面に一体に設けても良い。
【００２８】
図７、図８に示すように、アタッチメント本体５０は、表面板５１の下面における見込み方向脱衣室側と浴室側に脱衣室側突部５２と浴室側突部５３を長手方向に連続してそれぞれ有すると共に、脱衣室側突部５２寄りに垂下片５４が下向きに設けてある。
この垂下片５４の長手方向中間部に切欠部５５を有する。
【００２９】
図７、図８に示すように、端部キャップ６０は、表面板６１の下面に係合部、例えば第１係合片６２と第２係合片６３を見込み方向に離隔して有する。
この表面板６１は下面における脱衣室側に脱衣室側端部６４を有し、見込み方向に沿う断面形状が、アタッチメント本体５０の表面板５１の見込み方向に沿う断面形状とほぼ同一で、表面板６１と表面板５１は表面の形状が同一で、図２に示すようにアタッチメント本体５０の表面と端部キャップ６０の表面が滑らかに連続するようにしてある。この実施の形態では脱衣室側端部６４に第１係合片６２が設けてあるが、別々に設けても良い。
【００３０】
前述した端部キャップ６０は、表面板６１の見付け方向端部に下向きの端面板６５を有し、この端面板６５に、前記アタッチメント本体５０の表面板５１の下面に接するプレート６６と、前述した脱衣室側突部５２と浴室側突部５３の見込み方向に対向した面にそれぞれ接する見付け方向に向かう一対の突出片６７を有し、前述したプレート６６の上面は表面板６１の上面よりも低く、表面板６１とプレート６６は段差を有して連続している。
そして、プレート６６と突出片６７をアタッチメントの本体５０の見付け方向端部に嵌合し、前述した段差部（端面板６５）を表面板５１の端面に接して端部キャップ６０が取り付けてある。
前述した表面板５１の脱衣室側突部５２と表面板６１の脱衣室側突部６４とに連続して止水材５６が装着してある。
【００３１】
前述した第１端部ブロック７０は、図８、図９に示すように、その見付け方向の側面７０ａが一方の縦枠１０の面内方向の内側面１０ａに接し、その下面７０ｂが下枠本体１３ａの脱衣室側部３０の上面３０Ａと浴室側部３１の上面３１Ａ（つまり、下枠本体１３ａの上面）に接している。
これによって、第１端部ブロック７０は下枠本体１３ａと一方の縦枠１０の接合部に水が浸入することを抑制するので、その接合部の水密性が向上する。
例えば、下枠アタッチメント１３ｂの上面に沿って流れ、一方の縦枠１０の内側面１０ａに流れた水は、その内側面１０ａと第１端部ブロック７０の側面７０ａとの接触部に沿って浴室側に流れ、浴室側部３１の上面３１Ａから浴室に流れる。
【００３２】
前記第１端部ブロック７０は図４、図９に示すように、その脱衣室側部７１の上面にレール部７２が設けてあると共に、その浴室側部７３の下面に取付部７４が設けてある。
この取付部７４は、前述したスロープ部材４の取付片４１と同一断面形状である。
一方の縦枠１０の浴室側寄りの内向片１６の下部を、第１端部ブロック７０の脱衣室側部７１が干渉しないように切断して除去し、図４に示すように第１端部ブロック７０を下枠本体１３ａの長手方向端面と面一となるように取り付けできるようにすることで、図８に示すように、第１端部ブロック７０の側面７０ａを一方の縦枠１０の内側面１０ａに接することができるようにしている。
【００３３】
そして、前述したスロープ部材４の長さを下枠本体１３ａの長さよりも前述した取付部７４の見付け方向寸法（幅）だけ短くし、取付部７４を浴室側部３１の凹条溝３４の長手方向端部寄りに嵌め込んで第１端部ブロック７０を取り付けている。
これにより、第１端部ブロック７０の脱衣室側端部が下枠本体１３ａの脱衣室側部３０の段差部３０ｇに接し、脱衣室側部７１の下面が脱衣室側部３０の上面３０Ａに接すると共に、浴室側部７３の下面が浴室側部３１の上面３１Ａに接し、スロープ部材４の長手方向端面（小口）を第１端部ブロック７０で覆っている。
【００３４】
前述したレール部７２は、レール部材１３ｃのレール３６と連続している。つまり、レール部材１３ｃの長さは、下枠本体１３ａの長さと比べて第１端部ブロック７１の見付け方向の寸法（幅）だけ短く、図８に示すように、レール部材１３ｃのレール３６が一方の縦枠１０の内側面１０ａまで連続しないので、前述のように第１端部ブロック７０を取り付けしてレール部材１３ｃのレール３６を第１端部ブロック７０のレール部７２で一方の縦枠１０の内側面１０ａまで連続するようにしている。
【００３５】
図９に示すように、第１端部ブロック７０の浴室側部７３には、前述した端部キャップ６０の係合部と係合する被係合部、例えば第１被係合部７５と第２被係合部７６が見込み方向に離隔して有する。
この実施の形態では、浴室側部７３の上面に上向き凹部７７を形成し、その上向き凹部７７の浴室側の縦面７７ａを、垂直面に対して上部が下部よりも脱衣室側寄りとなる斜めの面として第１被係合部７５とし、浴室側部７３の浴室側端の上部寄りに、浴室側に向けて突出した突部７６ａを設けて第２被係合部７６としてある。
【００３６】
そして、図１０に示すように、一方の端部キャップ６０の第１係合片６２、第２係合片６３が第１端部ブロック７０の第１被係合部７５、第２被係合部７６にそれぞれ係合し、一方の端部キャップ６０が第１端部ブロック７０に係合して取り付けられる。
【００３７】
前述した第２端部ブロック８０は図５、図６、図７に示すように、その見込み寸法は、下枠本体内１３ａの浴室側部３１の上面３１Ａにのみ接する値で、第１端部ブロック７０の見込み寸法と比べて短く、前述した第１端部ブロック７０の浴室側部７３における上向き凹部７７よりも浴室側寄り部分のみで第２端部ブロック８０としてある。
そして、図７に示すように、第２端部ブロック８０の側面８０ａが縦骨１４の見付け方向の内側面１４ａに接し、下面８０ｂが下枠本体１３ａの浴室側部３１の上面３１Ａに接し、下枠本体１３ａと縦骨１４の接合部の水密性を向上している。
【００３８】
前記第２端部ブロック８０の下面には図５に示すように、取付部８１が設けてあり、この取付部８１は前述したスロープ部材４の取付片４１と同一断面形状で、その取付部８１を、前述した第１端部ブロック７０と同様に凹条溝３４に嵌め込むことで第２端部ブロック８０を取り付けてある。
このようであるから、前述した第１端部ブロック７０と同様に、スロープ部材４の長手方向端面（小口）を第２端部ブロック８０で覆うことができる。
【００３９】
前記第２端部ブロック８０には前述した他方の端部キャップ６０の係合部と係合する被係合部、例えば第１被係合部８２、第２被係合部８３を見込み方向に離隔して有する。
この実施の形態では、第２端部ブロック８０の脱衣室端部と浴室側端部に突部を設けて第１被係合部８２、第２被係合部８３としてある。
そして、図１１に示すように他方の端部キャップ６０の第１係合片６２を第１被係合部８２に係合すると共に、第２係合片６３を第２被係合部８３に係合することで他方の端部キャップ６０が第２端部ブロック８０に係合して取り付けられる。
【００４０】
前述したように、第１端部ブロック７０の第１・第２被係合部７５，７６と第２端部ブロック８０の第１・第２被係合部８２，８３は同一形状で、同一見込み位置であるから、下枠アタッチメント１３ｂを取り付けるには、下枠アタッチメント１３ｂを浴室側が脱衣室側よりも高くなるように斜めの姿勢として各第１係合片６２を各第１被係合部７５，８２に引掛け、その引掛け部を支点として下枠アタッチメント１３ｂを下方に回動することで各第２係合片６３を各第２被係合部７６，８３に係合することで取り付けできる。
したがって、下枠アタッチメント１３ｂを簡単に取り付けできる。
前述の下枠アタッチメント１３ｂを上から下に向けて動かして第１・第２係合片６２，６３を第１・第２被係合部７５，８２，７６，８３に同時に係合しても良い。
【００４１】
前述のようにして下枠アタッチメント１３ｂを取り付けることで、図１２に示すように、下枠アタッチメント１３ｂの裏面（アタッチメント本体５０の表面板５１の裏面）と下枠本体１３ａの浴室側部３１の上面３１Ａとの間に排水用空間Ｂが形成されている。
このようであるから、この下枠アタッチメント１３ｂの上面に沿って流れ、下枠本体１３ａの脱衣室側部３０の上面３０Ａに流れ落ちた水は、前述の排水用空間Ｂから浴室側に排水され、下枠本体１３ａを越えて脱衣室側に流れることがない。
【００４２】
前述のように、下枠本体１３ａの脱衣室側部３０の上面３０Ａに流れ落ちた水が排水用空間Ｂに流れるようにするためには、その脱衣室側部３０の上面３０Ａの脱衣室側寄りに高い部分を有することが望ましい。
この実施の形態では段差部３０ｇが高い部分であり、レール部材１３ｃが一体に設けてある場合にはレールが高い部分となる。
【００４３】
前述した下枠アタッチメント１３ｂを取り外しする場合には、下枠アタッチメント１３ｂを工具などを利用して上方にこじることで係合部と被係合部が離脱すれば良いから、下枠アタッチメント１３ｂを簡単に取り外しできる。
しかも、下枠本体１３ａの浴室側部３１の上面３１Ａは、その見付け方向（長手方向）の両端寄りに第１・第２端部ブロック７０，８０が取り付けてあるだけで、その見付け方向中間部は大きな凹凸がない平坦面であるから、その浴室側部３１の上面３１Ａを簡単に清掃することができる。
【００４４】
前述のように、下枠本体１３ｂの見付け方向両側部（端部キャップ６０）を下枠本体１３ａの浴室側部３１の上面３１Ａよりも上方に突出した第１・第２端部ブロック７０，８０で支持し、排水用空間Ｂを形成しているので、下枠本体１３ｂの見付け寸法が大きい場合等には、下枠本体１３ｂに人が乗った際に、その下枠本体１３ｂの見付け方向中間部（アタッチメント本体５０）が下向きに変形する恐れがあるが、この実施の形態では下枠本体５０の垂下片５４がスロープ部材４の上面に接しているので、下向きに変形することがない。
しかも、スロープ部材４はゴムや樹脂などの軟質材であるから、下枠本体１３ａ、アタッチメント本体５０がアルミ製であっても金属接触音（音鳴り）が発生することがない。
さらに、浴室側部３１の上面３１Ａに沿って流れる水は、垂下片５４の切欠部５５を通して浴室側に流れるから、垂下片５４があっても浴室に排水できる。
【００４５】
一方の縦枠１０の内側面１０ａと第１端部ブロック７０との間には、前述のように、下枠本体１３ａの脱衣室側部３０の上面３０Ａに沿って流れる水の一部を浴室側部３１の上面３１Ａまで排水する排水路が形成してある。
例えば、図１３、図１４に示すように第１端部ブロック７０の脱衣室側部７１の下面に切欠部７８を形成して脱衣室側部３０の上面３０Ａとの間に流入口を形成し、第１端部ブロック７０の一方の縦枠１０の内側面１０ａと接触する側面７０ａの下部に切欠部７９を形成して第１端部ブロック７０の側面７０ａ下部と一方の縦枠１０の内側面１０ａとの間に前述の流入口を浴室側部３１の上面３１Ａまで連続する流路を形成することで、脱衣室側部３０の上面３０Ａの水が図１３、図１４に矢印（ａ）で示すように流入口、流路に沿って流れるようにする。
【００４６】
この実施の形態では、図１０に示すように、第１端部ブロック７０は上面板７０ｂと縦面板７０ｃとで鉤形状の本体とし、その上面板７０ｂの下面と縦面板７０ｃの側面とに亘って複数の下向片７０ｄを設けると共に、浴室側端面板７０ｅを設けた形状とし、その縦面板７０ｃに切欠部７８を形成すると共に、下向片７０ｄの下部と浴室側端面板７０ｅの下部に切欠部７９を形成してある。
【００４７】
このようであるから、脱衣室側部３０の上面３０Ａ、レール部材１３ｃの見付け方向（長手方向）に沿って流れた水を、第１端部ブロック７０と一方の縦枠１０の内側面１０ａとの間に形成した排水路で浴室側部３１の上面３１Ａまで円滑に排水することができる。
【００４８】
縦骨１４の内側面１４ａと第２端部ブロック８０との間には、前述のように、下枠本体１３ａの脱衣室側部３０の上面３０Ａに沿って流れる水の一部を浴室側部３１の上面３１Ａまで排水する排水路が形成してある。
例えば、図５、図１１に示すように、第２端部ブロック８０の側面８０ａの下部と縦骨１４の内側面１４ａとの間に流路を形成することで、脱衣室側部３０の上面３０Ａの水が矢印（ｂ）で示すように流路に沿って流れるようにしてある。
【００４９】
この実施の形態では、第２端部ブロック８０は、図５に示すように、見込み方向に向かう本体部８４と、その本体部８４の脱衣室側端に見付け方向の他方（つまり、他方の縦枠１１に向かう方向）に向けて設けた突出部８５で平面形状が鉤形状で、その本体部８４の側面８４ａを上部が下部よりも見付け方向に張り出した形状とし、その側面８４ａの上部を縦骨１４の内側面１４ａに接し、その側面８４ａの下部と縦骨１４の内側面１４ａとの間に隙間を形成して見込み方向に向かう流路とする。
前述の突出部８５の浴室側面８５ａを上部が下部よりも浴室側に張り出した縦方向の鉤形状とし、その浴室側面８５ａの上部を縦骨１４の脱衣室側面１４ｂに接し、その浴室側面８５ａの下部と縦骨１４の脱衣室側面１４ｂとの間に隙間を形成して見付け方向に向かう流路とし、この流路と前述の流路で平面形状がほぼ鉤形状の排水路としてある。
【００５０】
このようであるから、枠体１の障子引込み部１ｄに流入した水を、下枠本体１３ａの脱衣室側部３０の上面３０Ａに沿って図５に矢印（ｂ）で示すように見付け方向に流れるようにすることで、前述した縦骨１４と第２端部ブロック８０との間に形成した排水路を通して浴室側に円滑に排水できる。
【００５１】
前述の実施の形態は、枠体１が縦骨１４を備えた出入口用開口部１ａと障子引込み部１ｄを有するものであるから、第２端部ブロック８０を用いたが、枠体１が出入口用開口部１ａのみを有するものであれば、他方の縦枠１１は一方の縦枠１２と同一見込み寸法であるから、第１端部ブロック７０を両方の縦枠１０，１１の内側面と対向してそれぞれ設けることができる。
【００５２】
前述の実施の形態では、下枠アタッチメント１３ｂの各端部キャップ６０に見込み方向に離隔して設けた第１係合片６２と第２係合片６３を、第１・第２端部ブロック７０，８０に見込み方向に離隔して設けた第１被係合部７５，８２と第２被係合部７６，８３にそれぞれ係合し、下枠アタッチメント１３ｂの見付け方向両側部を下枠本体１３ｂに、それぞれ見込み方向に係合して取り付けしたが、下枠アタッチメント１３ｂの見付け方向一側部と他側部を下枠本体１３ｂに見付け方向に係合して取り付けても良い。
【００５３】
例えば、図１５に示すように下枠アタッチメント１３ｂの各端部キャップ６０の表面板６１の裏面における脱衣室側寄りに係合片９０をそれぞれ設け、この各係合片９０は見付け方向に向かう係合突部９１を有して係合部としてある。
前述した各係合突部９１は見付け方向の外側に向いている。
第１端部ブロック７０と第２端部ブロック８０は、見付け方向に向かう被係合部９２をそれぞれ有し、この各被係合部９２は見付け方向の内側に向かい、かつ相対向している。
【００５４】
そして、各係合片９０の係合突部９１を第１・第２端部ブロック７０，８０の被係合部９２にそれぞれ係合することで下枠アタッチメント１３ｂを図１６に示すように下枠本体１３ａに取り付ける。
これにより、図１７に示すように第１の実施の形態と同様に、下枠本体１３ａの浴室側部３１の上面３１Ａと下枠アタッチメント１３ｂの下面との間に排水用空間Ｂを形成すると共に、下枠アタッチメント１３ｂのアタッチメント本体５０に設けた垂下片５４がスロープ部材４に接する。
【００５５】
前述したアタッチメント本体５０は図１５に示すように、前述した第１の実施の形態と同様で、端部キャップ６０は表面板６１のみを有した形状で、この表面板６１とアタッチメント本体５０の表面板５１が、同一見込み寸法で、両方の表面板５１，６１が連続するように取り付けてある。
前述の表面板６１の脱衣室側寄りに切欠部６１ａを有する。
【００５６】
前述の第１端部ブロック７０は図１７、図１９、図２０に示すように、その上面７０ｃが脱衣室側寄りが浴室側寄りよりも高い階段形状で、その浴室側寄りの内側面上部に被係合部９２が設けてあり、その下面７０ｂに取付部７４を有し、その取付部７４を下枠本体１３ａの浴室側部３１の凹条溝３４に嵌め込んで取り付けられ、下面７０ｂが下枠本体１３ａの浴室側部３１の上面３１Ａに接する。
そして、第１端部ブロック７０の側面７０ａが一方の縦枠１０の内側面１０ａに接している。
図１６に示すように、表面板６１の切欠部６１ａが一方の縦枠１０の浴室側の内向片１６と対向し、表面板６１の残存した部分６１ｂが内向片１６よりも脱衣室側まで張り出し、止水材５６を一方の縦シール材１７と接触できるようにしてある。
【００５７】
前述の第２端部ブロック８０は図１８と図２１に示すように、下面８０ｂに取付部８１を有し、その取付部８１を下枠本板１３ａの凹条溝３４に嵌め込んで取り付けられ、下面８０ｂが下枠本体１３ａの浴室側部３１の上面３１Ａに接すると共に、その側面８０ａが縦骨１４の内側面１４ａに接するようにしてある。
この第２端部ブロック８０の上面８０ｃは、脱衣室側寄りが浴室側寄りよりも高い階段形状である。
そして、図１６に示すように第２端部ブロック８０は縦骨１４の脱衣室側面１４ｂよりも脱衣室側に張り出し、その上面８０ｃの脱衣室側寄りが端部キャップ６０の表面板６１の切欠部６１ａに合致している。
【００５８】
この第２端部ブロック８０は、その側面８０ａの下部に開口すると共に、浴室側端面８０ｄに開口した排水路を有し、枠体１の障子引込み部１ｄの水が下枠本体１３ａの上面に沿って流れ、前述した排水路を通して図２１に矢印（ｃ）で示すように排水することができる。
【００５９】
この実施の形態の下枠本板１３ａは、そのレール部材１３ｃが脱衣室側部３０の上面３０Ａに一体に設けてあり、レール３６を有しているのみである。
この実施の形態においても枠体１が出入口用開口部１ａのみを有する場合には、縦骨１４を用いずに一方の縦枠１０を左右に設けて出入口用開口部１ａを形成し、第１端部ブロック７０を見付け方向両側に取り付けることができる。
【符号の説明】
【００６０】
１…枠体、１ａ…出入口用開口部、２…障子、４…スロープ部材、１０…一方の縦枠、１１…他方の縦枠、１２…上枠、１３…下枠、１３ａ…下枠本体、１３ｂ…下枠アタッチメント、１３ｃ…レール部材、１４…縦骨、３０…脱衣室側部、３０Ａ…上面、３１…浴室側部、３１Ａ…上面、３４…凹条溝、３６…レール、５０…アタッチメント本体、５４…垂下片、６０…端部キャップ、６２…第１係合片、６３…第２係合片、７０…第１端部ブロック、７５…第１被係合部、７６…第２被係合部、８０…第２端部ブロック、８２…第１被係合部、８３…第２被係合部。
【図１】
0005704608.tif 000002
【図２】
0005704608.tif 000003
【図３】
0005704608.tif 000004
【図４】
0005704608.tif 000005
【図５】
0005704608.tif 000006
【図６】
0005704608.tif 000007
【図７】
0005704608.tif 000008
【図８】
0005704608.tif 000009
【図９】
0005704608.tif 000010
【図１０】
0005704608.tif 000011
【図１１】
0005704608.tif 000012
【図１２】
0005704608.tif 000013
【図１３】
0005704608.tif 000014
【図１４】
0005704608.tif 000015
【図１５】
0005704608.tif 000016
【図１６】
0005704608.tif 000017
【図１７】
0005704608.tif 000018
【図１８】
0005704608.tif 000019
【図１９】
0005704608.tif 000020
【図２０】
0005704608.tif 000021
【図２１】
0005704608.tif 000022